(57)【要約】      （修正有）【課題】磁気的吸引部材を長期的に安定して保持する。【解決手段】ブラインド本体を構成している複数のブレードを操作する紐の動作を制御するためのものであり、昇降操作体９は本体ホルダー９Ｂ１と本体９Ｂ２とを互いに分離及び結合可能に組み合わせされており、上記本体ホルダーには本体を収納保持する収納穴部９Ｂ１ａを設けてあり、本体内には磁性板５３及びマグネット４４を組み込んであると共に、上記マグネットを挟んで走行ローラ４５を設けてある。昇降操作体９のマグネットと昇降制動体のマグネットはガラス板を挟んで互いに磁気力により吸引し合って一体の関係にある。【選択図】図２３
2009287303.tif 000002
【特許請求の範囲】
【請求項１】
ブラインド本体を構成している複数のブレードの動作を制御するためのものであり、内部に磁性板及び磁気的吸引部材を組み込んであり、
上記磁気的吸引部材は磁性板上で互いに磁気力により吸引し合って、一体の関係にある
ことを特徴とするブラインド用動作制御具。
【請求項２】
磁気的吸引部材を挟んで走行ローラを設けてあることを特徴とする請求項１記載のブラインド用動作制御具。
【請求項３】
内部に磁気的吸引部材に隣接して位置保持板を設けてあることを特徴とする請求項１又は請求項２記載のブラインド用動作制御具。
【請求項４】
本体ホルダーと本体とを互いに分離可能に組み合わせており、上記本体ホルダーには上記本体を収納保持する収納穴部を設けてあり、上記本体内には磁性板及び磁気的吸引部材を配置してあることを特徴とする請求項１記載のブラインド用動作制御具。
【請求項５】
本体ホルダーと本体とを互いに分離可能に組み合わせており、上記本体ホルダーは上記本体を収納保持する収納穴部を設けてあり、上記本体内には上記磁性板及び磁気的吸引部材を配置してあると共に、上記磁気的吸引部材を挟んで走行ローラを設けてあることを特徴とする請求項１記載のブラインド用動作制御具。
【請求項６】
本体ホルダーと本体とを互いに分離可能に組み合わせており、上記本体ホルダーには上記本体を収納保持する収納穴部を設けてあると共に走行ローラを取り付けてあり、上記本体内には上記磁性板及び磁気的吸引部材を配置してあり、上記走行ローラが上記磁気的吸引部材を挟んで配置されていることを特徴とする請求項１記載のブラインド用動作制御具。
【請求項７】
本体ホルダーと本体とを互いに分離可能に組み合わせており、上記本体ホルダーは上記本体を収納保持する収納穴部を設けてあり、上記本体内には上記磁性板及び磁気的吸引部材並びに位置保持板を配置してあり、上記位置保持板が磁気的吸引部材に隣接して設けてあることを特徴とする請求項１記載のブラインド用動作制御具。
【請求項８】
本体はブレードの昇降紐に通じかつ、昇降操作体の本体であることを特徴とする請求項４乃至請求項７のいずれかに記載のブラインド用動作制御具。
【請求項９】
本体はブレードの昇降紐に接続しかつ、昇降制動体の本体であることを特徴とする請求項４乃至請求項７のいずれかに記載のブラインド用動作制御具。
【請求項１０】
本体はブレードの角度調整紐に通じかつ、角度調整操作体の本体であることを特徴とする請求項４乃至請求項７のいずれかに記載のブラインド用動作制御具。
【請求項１１】
本体はブレードの角度調整紐に接続しかつ、角度調整制動体の本体であることを特徴とする請求項４乃至請求項７のいずれかに記載のブラインド用動作制御具。
【請求項１２】
一方のブラインド用動作制御具である昇降操作体と、他方のブラインド用動作制御具である昇降制動体とからなり、
上記昇降操作体は本体ホルダーと本体とを互いに分離可能に組み合わせており、上記本体ホルダーは上記本体を収納保持する収納穴部を設けてあり、上記本体内には上記磁性板及びこの磁性板上に吸着されている磁気的吸引部材を設けてあると共に、上記磁気的吸引部材を挟んで走行ローラを設けてあり、
上記昇降制動体は内部に磁性板及び磁気的吸引部材を組み込んであり、上記磁気的吸引部材は磁性板上で互いに磁気力により吸引し合って一体の関係にあり、ブラインド本体のブレードを制御する昇降紐に接続されており、上記磁気的吸引部材を挟んで走行ローラ  を設けてあり、
上記昇降操作体は、上記ブラインド本体に対向している透明板を挟んで上記昇降制動体と互いに磁気力により吸引し合って一体の関係にあることを特徴とするブラインド用動作制御装置。
【請求項１３】
一方のブラインド用動作制御具である角度調整操作体と、他方のブラインド用動作制御具である角度調整制動体とからなり、
上記角度調整操作体は本体ホルダーと本体とを互いに分離可能に組み合わせており、上記本体ホルダーは上記本体を収納保持する収納穴部を設けてあり、上記本体内には上記磁性板及びこの磁性板上に吸着されている磁気的吸引部材を設けてあり、
上記角度調整制動体は内部に磁性板及び磁気的吸引部材を組み込んであり、上記磁気的吸引部材は磁性板上で互いに磁気力により吸引し合って一体の関係にあり、ブラインド本体のブレードの角度調整をする角度調整紐に接続されており、
上記角度調整操作体は上記ブラインド本体に対向している透明板を挟んで上記角度調整制動体と互いに磁気力により吸引し合って一体の関係にあることを特徴とするブラインド用動作制御装置。
【発明の詳細な説明】
【技術分野】
【０００１】
この発明は、室外の光である外部光が室内へ入るのを遮断したり、外部光を室内へ取り入れたり、室内を外部から見えないようにするための目隠しなどに使用されるブラインドの動作を制御するブラインド用動作制御具及びブラインド用動作制御装置に関するものである。
【背景技術】
【０００２】
ブラインド用動作制御具として、例えば特公平４−２６０３４号公報では「角度調整操作具」が、また特開２０００−２４８８５７号公報には「操作部」（以下「従来例１」及び「従来例２」という。）がそれぞれ開示されている。
従来例１である角度調整操作具は、屋外側ガラス板との間にブラインドを配置してある屋内側ガラス板の外面に取り付けられている。角度調整操作具は、上記屋内側ガラス板に固着されているガイド枠と、このガイド枠のガイド溝に沿って上下動自在に保持されている操作つまみと、この操作つまみに固着されている永久磁石とを備えている。この永久磁石と、ラーダーコードの屋内外縦糸にホルダーを介して取り付けられている永久磁石とが上記屋内側ガラス板を通して吸着し合うように設定されている。
角度調整操作具の操作つまみを上下移動させることにより、永久磁石もラーダーコードの屋内外縦糸と共に、上下動し、これに伴ってブラインドのスラットの角度調整がされる。
従来例２である操作部は、内部が密封された複層ガラスの外面（室内側の面）に上下移動可能に設けられている。複層ガラスは２枚のガラス板を有し、内部に遮蔽体を内蔵している。遮蔽体はスラットを備えており、吊り糸の移動によってスラットの角度が可変調整できる。上記操作部は、上記ガラス板の外面に取付けフレームを介して上下方向に移動可能に取り付けられている。この取付けフレームは上記ガラス板の外面に固定されている。上記取付けフレームに磁石収容部が形成されており、この磁石収容部には磁石が収容されている。上記操作部は、上記複層ガラス内に上下方向に移動可能に設けられている被操作部の磁石と互いに吸着している。
上記操作部を上下方向に移動させると、操作部の磁石及び上記被操作部の磁石の吸着作用で複層ガラス内の被操作部が操作部に追従して操作され、吊り紐を介して遮蔽体のスラットの角度が任意に調節される。
【特許文献１】特公平４−２６０３４号公報
【特許文献２】特開２０００−２４８８５７号公報
【発明の開示】
【発明が解決しようとする課題】
【０００３】
従来例１において、永久磁石が操作つまみ内に埋め込まれ固着されているのに過ぎないので、経時的に離脱しやすく、特に永久磁石が複数である場合には長期的かつ安定的な保持が容易ではない。
従来例２において、複数の磁石を磁石収容部内に収容する場合も、その固定方法について詳細な説明はないものの、接着剤などによって固定するものと推察されるが、従来例１と同様な課題が生じるものと予測される。
この発明の目的は、磁気的吸引部材を長期的に安定して保持することを可能にすることにある。
【課題を解決するための手段】
【０００４】
この発明に係るブラインド用動作制御具の第１の特徴は、ブラインド本体を構成している複数のブレードの動作を制御するためのものであり、内部に磁性板及び磁気的吸引部材を組み込んであり、上記磁気的吸引部材が磁性板上で互いに磁気力により吸引し合って一体の関係にしていることにある。
この発明に係るブラインド用動作制御具の第２の特徴は、第１の特徴を備え、磁気的吸引部材を挟んで走行ローラを設けてあることにある。
この発明に係るブラインド用動作制御具の第３の特徴は、第１又は第２の特徴を備え、内部に磁気的吸引部材に隣接して位置保持板を設けてあることにある。
この発明に係るブラインド用動作制御具の第４の特徴は、第１の特徴を備え、本体ホルダーと本体とを互いに分離又は結合可能に組み合わせており、上記本体ホルダーには上記本体を収納保持する収納穴部を設けてあり、上記本体内には磁性板及び磁気的吸引部材を配置してあることにある。
この発明に係るブラインド用動作制御具の第５の特徴は、第１の特徴を備え、本体ホルダーと本体とを互いに分離又は結合可能に組み合わせており、上記本体ホルダーは上記本体を収納保持する収納穴部を設けてあり、上記本体内には上記磁性板及び磁気的吸引部材を配置してあると共に、上記磁気的吸引部材を挟んで走行ローラを設けてあることにある。
この発明に係るブラインド用動作制御具の第６の特徴は、第１の特徴を備え、本体ホルダーと本体とを互いに分離又は結合可能に組み合わせており、上記本体ホルダーには上記本体を収納保持する収納穴部を設けてあると共に走行ローラを取り付けてあり、上記本体内には上記磁性板及び磁気的吸引部材を配置してあり、上記走行ローラが上記磁気的吸引部材を挟んで配置されていることを特徴とする請求項１記載のブラインド用動作制御具。
この発明に係るブラインド用動作制御具の第７の特徴は、第１の特徴を備え、本体ホルダーと本体とを互いに分離又は結合可能に組み合わせており、上記本体ホルダーが上記本体を収納保持する収納穴部を設けてあり、上記本体内には上記磁性板及び磁気的吸引部材並びに位置保持板を配置してあり、上記位置保持板が磁気的吸引部材に隣接して設けてあることにある。
この発明に係るブラインド用動作制御具の第８の特徴は、第４乃至第７のいずれかの特徴を備え、本体はブレードの昇降紐に通じかつ、昇降操作体の本体であることにある。
この発明に係るブラインド用動作制御具の第９の特徴は、第４乃至第７のいずれかの特徴を備え、本体はブレードの昇降紐に接続しかつ、昇降制動体の本体であることにある。
この発明に係るブラインド用動作制御具の第１０の特徴は、第４乃至第７のいずれかの特徴を備え、本体はブレードの角度調整紐に通じかつ、角度調整操作体の本体であることにある。
この発明に係るブラインド用動作制御具の第１１の特徴は、第４乃至第７のいずれかの特徴を備え、本体はブレードの角度調整紐に接続しかつ、角度調整制動体の本体であることにある。
この発明に係るブラインド用動作制御装置の第１の特徴は、一方のブラインド用動作制御具である昇降操作体と、他方のブラインド用動作制御具である昇降制動体とからなり、上記昇降操作体は本体ホルダーと本体とを互いに分離又は結合可能に組み合わせており、上記本体ホルダーが上記本体を収納保持する収納穴部を設けてあり、上記本体内には上記磁性板及びこの磁性板上に吸着されている磁気的吸引部材を設けてあると共に、上記磁気的吸引部材を挟んで走行ローラを設けてあり、上記昇降制動体は内部に磁性板及び磁気的吸引部材を組み込んであり、上記磁気的吸引部材が磁性板上で互いに磁気力により吸引し合って一体の関係にあり、ブラインド本体のブレードを制御する昇降紐に接続されており、上記磁気的吸引部材を挟んで走行ローラを設けてあり、上記昇降操作体が上記ブラインド本体に対向している透明板を挟んで上記昇降制動体と互いに磁気力により吸引し合って一体の関係にあることにある。
この発明に係るブラインド用動作制御装置の第２の特徴は、一方のブラインド用動作制御具である角度調整操作体と、他方のブラインド用動作制御具である角度調整制動体とからなり、上記角度調整操作体は本体ホルダーと本体とを互いに分離又は結合可能に組み合わせており、上記本体ホルダーが上記本体を収納保持する収納穴部を設けてあり、上記本体内には上記磁性板及びこの磁性板上に吸着されている磁気的吸引部材を設けてあり、上記角度調整制動体は内部に磁性板及び磁気的吸引部材を組み込んであり、上記磁気的吸引部材が磁性板上で互いに磁気力により吸引し合って一体の関係にあり、ブラインド本体のブレードの角度調整をする角度調整紐に接続されており、上記角度調整操作体が上記ブラインド本体に対向している透明板を挟んで上記角度調整制動体と互いに磁気力により吸引し合って一体の関係にあることにある。
【発明の効果】
【０００５】
この発明によれば、磁性板を介して磁気的吸引部材を位置保持するので、長期的な安定保持が可能となる。
この発明によれば、本体ホルダーと磁気的吸引部材を有する本体とを組み合わせることによって、本体ホルダー又は本体のいずれか一方の交換やデザイン変更が容易となり、常に一括した全体の交換や変更が不要となる。
この発明によれば、走行ローラを設けることによってブラインド用動作制御具の移動が円滑に行える。
【発明を実施するための最良の形態】
【０００６】
この発明を実施するための一形態を図１〜図３１を参照して説明する。
図１〜図５において、ブラインド１は支持枠２、この支持枠を挟むように配置されている透明板であるガラス板３、両ガラス板間にあって支持枠２の外周を被覆する弾性封止部材４、支持枠２内に配置してある複数のブレード５ａからなるブラインド本体５、各ブレードを昇降するための昇降機構６、各ブレード５ａの角度を調整するための角度調整機構７、昇降機構６を操作するための対の昇降制動体８及び昇降操作体９、角度調整機構７を操作するための対の角度調整制動体１８及び角度調整操作体１９、弾性体２０，５１を備えている。
【０００７】
図４〜図７において、支持枠２の本体は図６左右の縦枠２ａ，２ｂと上下の横枠２ｃ，２ｄとを組み合わせた四角形状のフレームである。縦枠２ａ，２ｂ及び横枠２ｃ，２ｄはいずれも筒体によって形成されている。左右の縦枠２ａ，２ｂのうち、一方（図４右方）の縦枠２ｂは、内側面（他方の縦枠２ａと対向する側の面）に上下方向に長い溝状の走行レール２ｂ１（図７）を設けてある。走行レール２ｂ１の両側には、立ち上がり２ｂ２を設けてある。
また一方の縦枠２ｂの内側には、溝状の側カバー１０を取り付けてある。側カバー１０の内部には収納空間が形成されている（図４）。また図５及び図６に示すように、上方の横枠２ｃの内側にも、Ｌ形カバー部１１ａ，１１ｂを組み合わせた溝状の上カバー１１を取り付けてある。上カバー１１の内部には収納空間が形成されている。
図８に示すＬ形カバー部１１ａ，１１ｂにおいて、水平部１１ａ１，１１ｂ１には、内方から外方に向けてＵ字形に切り込んである係止孔１１ａ１１，１１ａ１２，１１ａ１３及び係止孔１１ｂ１１，１１ｂ１２，１１ｂ１３を長さ方向（図上下方向）に間隔を隔てて配置してある。図５に示すように、一側（図左側）のＬ形カバー部１１ａの水平部１１ａ１の上に、他方のＬ形カバー部１１ｂの水平部１１ｂ１が重ねられている。重ねられている状態において、係止孔１１ａ１１と係止孔１１ｂ１１、係止孔１１ａ１２と係止孔１１ｂ１２及び係止孔１１ａ１３と係止孔１１ｂ１３は、いずれも長孔状の保持孔を形成している。
【０００８】
図４〜図６に示すように、透明の各ガラス板３は、支持枠２より一回り大きな四角形状のガラス材であり、支持枠２の両側から挟んでいる。両ガラス板３間にあって支持枠２の外周には、全周に亘って幅ｗの空間１２（図４）が設けられている。
【０００９】
図１、図４及び図５に示すように、弾性封止部材４は空間１２内に隙間なく充填されており、支持枠２（縦枠２ａ，２ｂ及び横枠２ｃ，２ｄ）の外周全周を被覆している。このために、支持枠２内は密閉状態にある。弾性封止部材４はゴムなどの部材が用いられており、両ガラス板３の対向する内面に密着されている。図４に示すように、弾性封止部材４に圧力調整用棒材２１が貫通されている。圧力調整用棒材２１は弾性封止部材４の外側から支持枠２内に達している。弾性封止部材４は、支持枠２の外側の圧力の変化に対応して弾性変形する。この弾性変形を通じて、圧力調整用棒材２１の外周面と、この外周面に接触している弾性封止部材の接触面との間が密着状態になったり、又は密着状態が解除されたりする。解除状態にある場合には、圧力調整用棒材２１の外周面と弾性封止部材４との間に極めてわずかな隙間が開くことになり、この結果、支持枠２の内部に内と支持枠の外部との間が通じることになる。
【００１０】
図１及び図２に示すブラインド本体５において、複数のブレード５ａが水平に所定ピッチを置いて上下方向に配置され、最下部にブレード板５ｂを設けてある。各ブレード５ａの長さ方向の両側には、昇降用孔５ａ１，５ａ２を開けてある。各ブレード５ａは長方形状の長い板からなり、その幅方向（図１０の左右方向）の断面形状が上方に膨らんだ緩やかな円弧を形成している。
【００１１】
まず、ブレード５ａを昇降するための昇降機構６の概略を説明し、ついでこの昇降機構の具体的構成を説明し、さらに昇降機構を操作するための対の昇降制動体８及び昇降操作体９について説明する。
図９において、ブレード５ａの昇降機構６は複数の昇降紐（図示の例では第１及び第２の昇降紐１３，１４）を備えている。第１及び第２の昇降紐１３，１４は、一端部１３ａ，１４ａ側でブラインド本体５の各ブレード５ａを貫通して最下部を吊り下げ保持している。各ブレード５ａは、第１及び第２の昇降紐１３，１４の上下方向の動作によって昇降する。第１及び第２の昇降紐１３，１４は、ブラインド本体５の上側で第１及び第２の昇降伝動ローラ１５，１６に掛け回され、外側（図９右側）に水平方向に引き出され、昇降伝動中間ローラ１７を経てそれぞれ下方に向けて張られ、さらに他端部側で昇降制動体８の下方に位置している保持ローラ３３に掛け回され、上方に向けて張られ、他端部１３ｂ，１４ｂが昇降制動体の下部に固着されている。
いずれもブラインド用動作制御具である昇降制動体８と昇降操作体９とは、対となってブラインド用動作制御装置Ｕ１（図１，図９）を形成している。
昇降制動体８及び昇降操作体９は、それぞれ磁気的吸引部材であるマグネット４３，４４を装着している（図２０）。昇降操作体９は、昇降制動体８に対向しかつ接近しており、上下方向に移動可能である。昇降制動体８と昇降操作体９とは、対向しているマグネット４３，４４の磁気力により互いに吸引し合って、一体の関係にある。
昇降制動体８は、昇降操作体９を上下方向に移動させると、昇降操作体の移動方向と同一の方向に移動する。この移動によって、昇降制動体８が例えば図９上方に移動すれば、保持ローラ３３に掛け回されている第１及び第２の昇降紐１３，１４は上方に引っ張られるから、ブラインド本体５の各ブレード５ａが上昇し、ブラインドが開放される。
反対に、昇降制動体８が下方に移動すれば、第１及び第２の昇降紐１３，１４は下方に引き戻されるから、ブラインド本体５の各ブレード５ａが降下し、ブラインドが閉鎖される。
【００１２】
ブレード５ａの昇降機構６の具体的構成を主に図１０〜図１９を参照して説明する。
昇降機構６は、図１０〜図１２に示すように、第１及び第２の昇降紐１３，１４、内側の複数のローラ枠（図１２では第１及び第２のローラ枠３０，３１）、外側の複数又は単一の外側のローラ枠（図１２では第３のローラ枠３２）、内側の複数の昇降伝動ローラ（図１２では第１及び第２の昇降伝動ローラ１５，１６）、外側の複数又は単一の昇降伝動ローラ（図１２では昇降伝動中間ローラ１７）、保持ローラ３３（図１６）を備えている。
図１０及び図１１に示す第１及び第２の昇降紐１３，１４は、最上に位置しているブレード５ａから最下端に位置するブレード板５ｂ（図１）までを昇降用孔５ａ１，５ａ２を通じて貫通し、それぞれの紐下端がブレード板に接続されている。第１及び第２の昇降紐１３，１４は、第１、第２及び第３のローラ枠３０，３１，３２の第１、第２の昇降伝動ローラ１５，１６及び昇降伝動中間ローラ１７を経て昇降制動体８の保持ローラ３３に掛け回されている（図１３，図１６）。
【００１３】
図１０〜図１５において、第１及び第２のローラ枠３０，３１はいずれも同一構成である。第１及び第２のローラ枠３０，３１はプラスチック部材によって溝形に形成されており、両側に軸受け３０ａ，３１ａを起立してある。第１及び第２のローラ枠３０，３１の軸受け３０ａ，３１ａには、上方にＵ字形の受け溝を、下方の両側に対の縦長の通孔３０ａ１，３０ａ２，３０ａ３，３０ａ４及び通孔３１ａ１，３１ａ２，３１ａ３，３１ａ４（図１３）を貫通してある。また第１及び第２のローラ枠３０，３１の内側の底部には、第１及び第２の昇降伝動ローラ１５，１６を取り付けてある。さらに、第１及び第２のローラ枠３０，３１の底部には、ガイド孔となるガイド筒３０ｂ，３１ｂを設けてある。ガイド筒３０ｂ，３１ｂはつば部を有し、また外周には係合溝３０ｃ，３１ｃを設けてある（図１２）。
第１及び第２のローラ枠３０，３１のガイド筒３０ｂ，３１ｂは、図１２〜図１４に示すように第１及び第２の昇降紐１３，１４を第１及び第２のローラ枠３０，３１の内部へ案内するための孔の機能を果たしている。
第３のローラ枠３２は、ガイド筒の構造を除いて第１及び第２のローラ枠３０，３１と同一構造であるので、相違点のみを説明する。
ガイド筒３２ｂの取付け位置は、第３のローラ枠３２に対して図１２右側寄りに配置されている。ガイド筒３２ｂの内部には、十字状の仕切り３２ｄによって４つのガイド通路３２ｅ１，３２ｅ２，３２ｅ３，３２ｅ４が形成されている（図１３及び図１４）。第１及び第２のガイド通路３２ｅ１，３２ｅ２は昇降伝動中間ローラ１７寄りに配置され、第３及び第４のガイド通路３２ｅ３，３２ｅ４はその反対側に配置されている。
第３のローラ枠３２は、その内側の底部に昇降伝動中間ローラ１７を取り付けている。軸受け３２ａ、受け溝及び通孔３２ａ１，３２ａ２，３２ａ３，３２ａ４は、第１及び第２のローラ枠３０，３１における軸受け３０ａ，３１ａ、受け溝及び通孔３０ａ１〜３０ａ４，３１ａ１〜３１ａ４に対応している。
第３のローラ枠３２のガイド筒３２ｂは、図１２〜図１４に示すように第１及び第２の昇降紐１３，１４を下側の昇降制動体８（図１６）に導くための孔の機能を果たしている。
図１３に示すように、第１のローラ枠の通孔３０ａ１，３０ａ４、第２のローラ枠の通孔３１ａ１，３１ａ４及び第３のローラ枠の通孔３２ａ１，３２ａ４は、いずれも同一直線上に配置されている。また第１のローラ枠の通孔３０ａ２，３０ａ３、第２のローラ枠の通孔３１ａ２，３１ａ３及び第３のローラ枠の通孔３２ａ２，３２ａ３は、いずれも同一直線上に配置されている。
第１、第２及び第３のローラ枠３０，３１，３２は、図１５に示すように、上カバー１１によって被覆されている。第１、第２及び第３のローラ枠３０，３１，３２は、各ガイド筒３０ｂ，３１ｂ，３２ｂを通じて上カバーのＬ形カバー部１１ａ，１１ｂの水平部に保持されている。
第１、第２及び第３のローラ枠３０，３１，３２の保持状態を説明する。
第１のローラ枠３０は、ガイド筒３０ｂの係合溝３０ｃ内に図１５（ｉ）に示すように、両側からＬ形カバー部１１ａ，１１ｂの水平部の係止孔１１ａ１１，１１ｂ１１が差し込まれ、第２のローラ枠３１は、ガイド筒３１ｂの係合溝３１ｃ内に図１５（ｉｉ）に示すように、両側から水平部の係止孔１１ａ１２，１１ｂ１２が差し込まれ、第３のローラ枠３２は、ガイド筒３２ｂの係合溝３２ｃ内に図１５（ｉｉｉ）に示すように、両側から水平部の係止孔１１ａ１３，１１ｂ１３が差し込まれ、各ガイド筒が各係止孔を介して左右のＬ形カバー部１１ａ，１１ｂによって挟まれ、保持されている。
【００１４】
第１及び第２の昇降紐１３，１４の配置について説明する。
図１２〜図１５に示すように、第１の昇降伝動ローラ１５に掛け回されている第１の昇降紐１３は、その一端部側でガイド筒３０ｂを貫通してブラインド本体５を吊り（図１）、他端部側が第１の昇降伝動ローラから第１のローラ枠３０の通孔３０ａ４を通過し、第２のローラ枠３１の通孔３１ａ１，３１ａ４を通って、第３のローラ枠３２の通孔３２ａ１を貫通し、昇降伝動中間ローラ１７を経てガイド筒３２ｂの第１のガイド通路３２ｅ１を通って下方に導かれ（図１３）、昇降制動体８の下方に配置されている保持ローラ３３に掛け回され、上方に引き出されて、他端部１３ｂは昇降制動体８に固着されている（図１６）。
図１２〜図１５に示すように、第２の昇降伝動ローラ１６に掛け回されている第２の昇降紐１４は、その一端部側でガイド筒３１ｂを貫通してブラインド本体５を吊り（図１）、他端部側が第２の昇降伝動ローラから第２のローラ枠３１の通孔３１ａ３を通過し、第３のローラ枠３２の通孔３２ａ２を貫通し、昇降伝動中間ローラ１７を経てガイド筒３２ｂの第２のガイド通路３２ｅ２を通って下方に導かれ（図１３）、昇降制動体８の下方に配置されている保持ローラ３３に掛け回され、上方に引き出され、他端部１４ｂは昇降制動体８に固着されている（図１６）。
【００１５】
保持ローラ３３は、図１６及び図１７に示すように縦枠２ｂに取り付けられている保持体３４の軸受け部３４ａに軸３５を回転中心として支持されている。保持体３４は、図１６、図１７及び図１９に示すようにその上下２箇所に長孔３４ｂを開けてある。各長孔３４ｂ内には、止めねじ３６が上下方向に移動可能に位置している。このため、保持体３４は、縦枠２ｂに対して止めねじ３６を介して上下方向に移動可能である。保持体３４の軸受け部３４ａ間には保持ローラ３３が位置している。保持体３４は、弾性体である引っ張りばね２０によって図１６下方にばね力が付与されている。引っ張りばね２０は図１６に示す例ではコイルスプリングからなり、その一端は保持体３４の軸受け部３４ａの下部に設けてあるばね受け３４ｃに、他端は縦枠２ｂから突出している止め部材３７に掛け止められている。
【００１６】
昇降制動体８及び昇降操作体９の具体的構成について、主に図４、図１６〜図１８及び図２０〜図２６を参照して説明する。
図１６〜図１８に示す昇降制動体８はその本体が角柱体状に形成されており、側面片側（図１６右側）に走行ローラ３８を取り付けてある。走行ローラ３８は、ローラ軸３９を中心として回転可能である。昇降制動体８は、走行ローラ３８を通じて縦枠２ｂの走行レール２ｂ１上を昇降可能（上下方向に移動可能）である。また昇降制動体８には、補助走行ローラ４０を正面側にローラ軸４１を回転中心として取り付けてある。昇降制動体８は、補助走行ローラ４０を通じて縦枠２ｂの側カバー１０の内面上を昇降可能（上下方向に移動可能）であって、安定的走行を可能にしている。昇降制動体８の内部には、鉄板などの磁性板４２を側方（図１６左右方向側）に抜き取り可能に差し入れてある。磁性板４２上には、磁気的吸引部材であるマグネット４３を吸着してある。マグネット４３は、図１６及び図１７に示す例では、平面四角形のブロック状のマグネット体を３個並べて昇降制動体８の収納穴部内に納めてある。
【００１７】
昇降操作体９について、図１、図４、図２０〜図２６を参照して説明する。
図２２〜図２６に示す昇降操作体９は、本体ホルダー９Ｂ１と本体９Ｂ２とを互いに分離又は結合可能に組み合わせているものである。
本体ホルダー９Ｂ１には外面側（図２３右側）の中央部に凹部９ａを設けて、この本体ホルダーを把持し易くしている。本体ホルダー９Ｂ１には、内面側が開口している収納穴部９Ｂ１ａを設けてある。収納穴部９Ｂ１ａ内には昇降操作体９の本体９Ｂ２を収納することができる。本体ホルダー９Ｂ１の片側（図２４左側）には断面Ｔ字状のガイド突部９ｂを設けてある。
昇降操作体９の本体９Ｂ２は、図２６左右方向に貫通する収納穴部９Ｂ２ａを開けてある。収納穴部９Ｂ２ａ内の正面側（図２３右側）に磁性板５３を、その反対側には磁気的吸引部材であるマグネット４４をそれぞれ収納してある。磁性板５３及びマグネット４４の構成は、上記昇降制動体８の磁性板４２及びマグネット４３の構成と同一である。マグネット４４の端面は昇降操作体９の背面より露出されている。
マグネット４４と収納穴部９Ｂ２ａの内壁との間に隙間が生じる場合には、この隙間に対応することができる厚みを有する位置保持板５４を挿入する。位置保持板５４はマグネット４４の位置保持を強化する手段である。位置保持板５４の一端部（図２３右端部）は磁性板５３に接触している。昇降操作体９の本体９Ｂ２の背面の上下２箇所に回転可能である走行ローラ４５を設けてある。
昇降操作体９の本体９Ｂ２は、本体ホルダー９Ｂ１の収納穴部９Ｂ１ａ内に嵌め込まれており、本体ホルダーとは一体化されている。
図２０に示すように、昇降操作体９のマグネット４４と昇降制動体８のマグネット４３とは、正面のガラス板３を挟んで対向し、互いに磁気力によって吸引されている。昇降制動体８と昇降操作体９とは、上記吸引力によって常時一体化され、双方の位置が維持されている。
ガラス板３に面する側に設けてある昇降操作体９の走行ローラ４５はガラス板上を走行することができる。一方（図２右方）のガラス板３の正面（前面）上にガイドレール４６が上下方向に配置されかつ固着されている。ガイドレール４６には、図２１に示すように、長さ方向にガイドスリット４６ａを開けてある。ガイドスリット４６ａ内には、図４に示すように昇降操作体９のガイド突部９ｂが組み込まれている。ガイドレール４６には、三箇所にストッパ４７ａ，４７ｂ，４７ｃを装着してある（図２）。昇降操作体９は、走行ローラ４５を通じて、ガイドレール４６に沿ってガラス板３上を円滑にかつ図２１の上下方向に移動可能（昇降可能）である。ガイド突部９ｂは、ストッパ４７ａ，４７ｂ間のガイドスリット４６ａ内を移動可能である。昇降操作体９が昇降することができる範囲は、ストッパ４７ａとストッパ４７ｂとの間である。
【００１８】
ブラインド用動作制御装置Ｕ１（図１）を形成している昇降制動体８と昇降操作体９との関係について、図４及び図２０〜図２１を参照して説明する。
図２０に示す昇降制動体８と昇降操作体９とはガラス板３を挟んで対向している位置関係にある。対向位置関係の維持は、昇降制動体８のマグネット４３と昇降操作体９のマグネット４４とが互いに磁気力によって吸引し合うことによって達成される。このようなマグネット４３，４４の磁気力によって、昇降操作体９は、ガラス板３上での位置保持が可能となる。昇降制動体８は、昇降操作体９の上下方向の移動によって、昇降操作体の移動方向と同じ方向に移動する。
【００１９】
昇降機構６は、上記の構成であるから、図１及び図２０に示すように昇降制動体８を上昇させると、昇降制動体８は走行ローラ３８を通じて縦枠２ｂの走行レール２ｂ１上を上方に移動し、この移動に伴って保持ローラ３３に掛け回されている第１及び第２の昇降紐１３，１４を上方に引っ張る（図１５，図１６）。引っ張られた第１及び第２の昇降紐は、ブレード板５ｂを上方に持ち上げる。このため、各ブレード５ａは上方に押し上げられ、ブラインド本体５は収縮され、この結果、ブラインド本体５は「閉」から「開」の状態に移行される。
反対に、昇降制動体８を降下させると、昇降制動体８は走行ローラ３８を通じて縦枠２ｂの走行レール２ｂ１上を下方に移動し、この移動に伴って保持ローラ３３に掛け回されている第１及び第２の昇降紐１３，１４の引っ張り状態が緩み、第１及び第２の昇降紐はブレード板５ｂを下方に落下させ、このためブラインド本体５は伸張される。この結果、ブラインド本体５は「開」から「閉」の状態に移行される。
図示の例では、特に、「閉」から「開」の状態に移行される過程では、保持ローラ３３に掛け回されている第１及び第２の昇降紐１３，１４は上方に引っ張られ、この保持ローラを谷として「Ｕ」字状に屈曲して、屈曲部分に負荷がかかる。第１及び第２の昇降紐１３，１４の屈曲部分に負荷がかかる際、引っ張りばね２０のばね力に抵抗して保持体３４が上昇し、保持ローラ３３も上方に移動するので、保持ローラを通じて第１及び第２の昇降紐１３，１４にかかる負荷は緩衝される。この緩衝により、第１及び第２の昇降紐の破断が防止される。
保持体３４は、図１９（ｉ）に示す通常の位置から同図（ｉｉ）に示す位置に上昇することにより、さらに上方へ移動することにより、上記負荷の緩衝は効果的なものとなる。
【００２０】
ブレード５ａの角度を調整するための角度調整機構７の概略を説明し、ついでこれらの機構の具体的構成を説明し、さらに角度調整機構を操作するための対の角度調整制動体１８及び角度調整操作体１９について説明する。
図９において、ブレード５ａの角度調整機構７は、回転軸２２、複数の角度調整伝動ローラ（図では第１及び第２の角度調整伝動ローラ２３，２４）、複数又は単一の角度調整制動ローラ（図では角度調整制動ローラ２５）、複数又は単一の角度調整制動紐（図では角度調整制動紐２８）を備えている。第１及び第２の角度調整伝動ローラ２３，２４と、角度調整制動ローラ２５は、回転軸２２に間隔を置いて配置され、固定されている。
第１の角度調整伝動ローラ２３には、第１の角度調整紐２６の上側を掛け回してある。第２の角度調整伝動ローラ２４には、第２の角度調整紐２７の上側を掛け回してある。第１及び第２の角度調整紐２６，２７の下側は、ブラインド本体５の各ブレード５ａをその両側で吊り下げ保持している（図１０，図１１）。
図９に示す角度調整制動ローラ２５の下方には保持ローラ２９を設けてある。角度調整制動ローラ２５と保持ローラ２９との間に角度調整制動紐２８を掛け回してある。角度調整制動紐２８には角度調整制動体１８を介在させてある。換言すると、角度調整制動体１８の両側に角度調整制動紐２８の両端を接続している。角度調整制動紐２８は、角度調整制動ローラ２５と保持ローラ２９との間に掛け回されている。
図９に示す角度調整操作体１９を所定距離だけ上下方向に移動させると、角度調整制動体１８も角度調整操作体の移動に伴って同一方向に移動し、この移動により角度調整制動ローラ２５と保持ローラ２９との間に掛け回わされている角度調整制動紐２８は時計方向に又は反時計方向に移動される。同時に、角度調整制動ローラ２５が正転又は反転される。角度調整制動ローラ２５の回転力が回転軸２２を通じて第１及び第２の角度調整伝動ローラ２３，２４に伝達され、正転又は反転される。この結果、第１及び第２の角度調整紐２６，２７が上下方向に移動して、ブラインド本体５の各ブレード５ａの角度が調整される。
【００２１】
ブレード５ａの角度を調整するための角度調整機構７の具体的構成について、図１、図９〜図１５、図２０〜図２１及び図２７〜図３０を参照して説明する。
角度調整機構７は、図９、図１２及び図２７に示すように回転軸２２、第１及び第２の角度調整伝動ローラ２３，２４、角度調整制動ローラ２５、第１及び第２の角度調整紐２６，２７、角度調整制動紐２８、保持ローラ２９を備えている。
【００２２】
回転軸２２は、図１に示すように横枠２ｃに沿って水平方向に配置されている。回転軸２２は、第１、第２及び第３のローラ枠３０，３１，３２の軸受け３０ａ，３１ａ，３２ａに回転可能に支持されている（図１２）。
【００２３】
図１及び図１２に示すように、第１の角度調整伝動ローラ２３、第２の角度調整伝動ローラ２４及び角度調整制動ローラ２５は、軸心を貫通している回転軸２２にそれぞれ間隔を隔てて取り付けられている。
第１及び第２の角度調整伝動ローラ２３，２４は、いずれも同一構成である。第１及び第２の角度調整伝動ローラ２３，２４は第１及び第２のローラ枠３０，３１の内部に配置されている。第１及び第２の角度調整伝動ローラ２３，２４の中間部分には、円周方向に全周に保持溝２３ａ，２４ａを形成してある。第１及び第２の角度調整伝動ローラ２３，２４には、図１２に示すように各保持溝２３ａ，２４ａを通じて第１の角度調整紐２６（２６ａ，２６ｂ）（図１０）及び第２の角度調整紐２７（２７ａ，２７ｂ）（図１１）がそれぞれ掛け回されている。
角度調整制動ローラ２５は、回転軸２２の一端側（図１２右端側）に設けられている第３のローラ枠３２の内部に配置されている。角度調整制動ローラ２５の端部には、その円周方向に全周に保持溝２５ａを形成してある。角度調整制動ローラ２５には、保持溝２５ａを通じて角度調整制動紐２８が掛け回されている。
【００２４】
第１の角度調整紐２６及び第２の角度調整紐２７は、図１０及び図１１に示すようにそれぞれ２本の紐部２６ａ，２６ｂ及び紐部２７ａ，２７ｂからなる。紐部２６ａ，２６ｂ及び紐部２７ａ，２７ｂは、第１及び第２の角度調整伝動ローラ２３，２４から下方に向けてブレード５ａの幅方向の両側からこれを挟むように垂れ下がり、各下端部がブレード板５ｂ（図１）に接続されている。対向する第１の角度調整紐２６の紐部２６ａと紐部２６ｂの間及び第２の角度調整紐２７の紐部２７ａと紐部２７ｂの間には、それぞれブレード５ａの底部を支えるブレード保持紐２６ｃ，２７ｃを渡してある。
【００２５】
図２７及び図２８に示すように、角度調整制動紐２８は角度調整制動ローラ２５に掛け回され、下方に延びている一端部２８ａが角度調整制動体１８の上端部に止められ、他端部２８ｂ側が角度調整制動体の背部を通って保持ローラ２９に掛け回され、上方に引き出されて角度調整制動体１８の下端に止められている。保持ローラ２９は、縦枠２ｂに支持されている保持体４８に取り付けられている。
図２７、図２８及び図３０において、保持体４８はその上下２箇所に長孔４８ｂを開けてある。各長孔４８ｂの内部には、止めねじ４９が上下方向に移動可能に位置している。保持体４８は、縦枠２ｂに対して止めねじ４９を介して上下方向に移動可能である。保持体４８には、図１及び図２７に示すようにブレード５ａ側に向けてＬ形の軸受け部４８ａを設けてあり、そして軸受け部４８ａ内には保持ローラ２９がローラ軸５０（図３０）を回転中心として配置されている。保持体４８は、弾性体である引っ張りばね５１によって図下方にばね力が付与されている。引っ張りばね５１はコイルスプリングからなり、その一端は軸受け部４８ａの下部に設けてあるばね受け４８ｃに、他端は縦枠２ｂから突出している止め部材５２に掛け止められている。
【００２６】
角度調整制動体１８及び角度調整操作体１９の具体的構成について、主に図４、図２０、図２１、図２７〜図２９を参照して説明する。
いずれもブラインド用動作制御具である角度調整制動体１８と角度調整操作体１９とは、対となってブラインド用動作制御装置Ｕ１１（図１，図９）を形成している。
角度調整制動体１８は昇降制動体８と、角度調整操作体１９は昇降操作体９とそれぞれ同一構成であるので、その詳細な説明を省略する。
図２０〜図２１に示す角度調整制動体１８における走行ローラ１３８、ローラ軸１３９、補助走行ローラ１４０、ローラ軸１４１、磁性板１４２、磁気的吸引部材であるマグネット１４３は、昇降制動体８における走行ローラ３８、ローラ軸３９、補助走行ローラ４０、ローラ軸４１、磁性板４２、マグネット４３にそれぞれ対応している。
図２０及び図２１に示す角度調整操作体１９における本体ホルダー１９Ｂ１、凹部１９ａ、ガイド突部１９ｂ、収納穴部１９Ｂ１ａ、本体１９Ｂ２、磁気的吸引部材であるマグネット１４４、走行ローラ１４５、磁性板１５３及び位置保持板１５４は、昇降操作体９における本体ホルダー９Ｂ１、凹部９ａ、ガイド突部９ｂ、収納穴部９Ｂ１ａ、本体９Ｂ２、マグネット４４、走行ローラ４５、磁性板５３及び位置保持板５４にそれぞれ対応している。
角度調整操作体１９のガイド突部１９ｂは、ガイドスリット４６ａ内に組み込まれている。角度調整操作体１９は、ガイドレール４６に沿って図２１の上下方向に移動可能である。ガイド突部１９ｂは、ストッパ４７ｂ，４７ｃ間のガイドスリット４６ａ内を移動可能である。角度調整操作体１９が昇降することができる範囲は、ストッパ４７ｂとストッパ４７ｃとの間である。
【００２７】
ブラインド用動作制御装置Ｕ１１（図１，図９）を形成している角度調整制動体１８と角度調整操作体１９との関係についても、上述した昇降制動体８と昇降操作体９との関係と同様である。
角度調整制動体１８と角度調整操作体１９とは、図２０及び図２１に示すようにガラス板３を挟んで対向位置関係にある。対向位置関係の維持は、角度調整制動体１８のマグネット１４３と角度調整操作体１９のマグネット１４４とが互いに磁気力によって吸引し合うことによって達成される。角度調整操作体１９は、マグネット１４３，１４４の磁気力によってガラス板３上での位置保持が可能となる。角度調整制動体１８は、角度調整操作体１９の上下方向の移動によって、角度調整操作体の移動方向と同じ方向に移動することができる。
【００２８】
角度調整機構７は上記の構成であるから、角度調整制動体１８をわずかな距離だけ上下方向に移動させると、図１、図９及び図２７に示す角度調整制動体は走行ローラ１３８を通じて縦枠２ｂの走行レール２ｂ１上を上下方向に移動する。角度調整制動紐２８は、角度調整制動体１８に接続され、かつ角度調整制動ローラ２５と保持ローラ２９との間に掛け回されている。このため、角度調整制動体１８の移動に伴って角度調整制動紐２８が上下方向に移動するから、上下方向に移動した距離に対応する角度分だけ、角度調整制動ローラ２５が正転及び反転する。同時に、回転軸２２を通じて第１及び第２の角度調整伝動ローラ２３，２４（図１）が正転又は反転をするから、対向している第１の角度調整紐２６の紐部２６ａ，２６ｂの一方が、そして第２の角度調整紐２７の紐部２７ａ，２７ｂの一方が下方に引っ張られ、他方が上方に引っ張られる。このために、保持紐２６ｃ，２７ｃが水平状態から下向きの傾斜状態に、下向きの傾斜状態から水平状態に又は水平状態から上向きの傾斜状態に変化し、この変化に追従して各ブレード５ａの角度が変化して、角度の調整がされる。
角度調整過程において、保持ローラ２９に掛け回されている角度調整制動紐２８は上方に引っ張られると、この保持ローラを谷として「Ｕ」字状に屈曲して、屈曲部分に負荷がかかる。しかし、角度調整制動紐２８の屈曲部分に負荷がかかる際に、引っ張りばね５１のばね力に抵抗して保持体４８が上昇し、保持ローラも上方に移動するので、保持ローラにおける負荷を緩衝することになる。このため、角度調整制動紐２８の破断を防止することができる。
保持体４８は、図３０（ｉ）に示す通常の位置から同図（ｉｉ）に示す位置に上昇し、さらに上方へ移動することにより、上記負荷の緩衝が効果的なものとなる。
【００２９】
ブラインド本体５の開閉及びブレード５ａの角度調整について説明する。
ブラインド本体５を全面開放又は一部開放するためには、図１、図９及び図２０に示すように、昇降操作体９を上昇させると、昇降操作体と対向して互いに吸引関係にある昇降制動体８も縦枠２ｂの走行レール２ｂ１上を上方に移動する。昇降制動体８の上方移動に伴って、第１及び第２の昇降紐１３，１４が上方に引っ張られ、ブレード板５ｂは第１及び第２の昇降紐を介して上方に持ち上げられる。このため、各ブレード５ａが上方に押し上げられてブラインド本体５は収縮され、開放される。
ブラインド本体５を全閉又は一部閉鎖するためには、図１、図９及び図２０に示すように昇降操作体９を降下させると、昇降制動体８も降下され、縦枠２ｂの走行レール２ｂ１上を降下し、この降下に伴って第１及び第２の昇降紐１３，１４の引っ張り状態が緩み、ブレード板５ｂは降下するためブラインド本体５は伸張され、閉鎖される。
ブラインド本体５のブレード５ａの角度を調整して、外部光を遮断するためには、図１及び図２１に示すように、角度調整操作体１９を所定距離だけ上昇させると、角度調整制動体１８も角度調整操作体の移動に伴って同一方向に移動する。この移動により、角度調整制動ローラ２５と保持ローラ２９との間に掛け回してある角度調整制動紐２８は反時計方向に移動される。同時に、角度調整制動ローラ２５も反時計方向に回転され、角度調整制動ローラの回転力が回転軸２２を通じて第１及び第２の角度調整伝動ローラ２３，２４に伝達され、図１０及び図１１反時計方向に回転される。この結果、第１及び第２の角度調整紐２６，２７の紐部２６ａ，２７ａが降下し、紐部２６ｂ，２７ｂが上昇するから、図５に示すようにブラインド本体５の各ブレード５ａは右肩上がりに傾斜され、外部光が遮断される。
図５に示す状態から、室内へ外部光を取り入れるためには、角度調整操作体１９を所定距離だけ降下させることにより、角度調整制動ローラ２５を通じて第１及び第２の角度調整伝動ローラ２３，２４は時計方向に回転され、第１及び第２の角度調整紐２６，２７の紐部２６ａ，２７ａが上昇し、紐部２６ｂ，２７ｂが降下する。このため、図１０及び図１１に示すようにブラインド本体５の各ブレード５ａが水平の状態になり、この段階で角度調整操作体１９の移動を停止する。
【００３０】
図３１に示すドアＤは、図１に示すブラインド１を組み込んでいる利用例である。
ドアＤにおいては、ブラインド１の開閉及びブレードの角度調整のための操作用の開口部がなく、紐も露出されておらず、外観の見栄えが良く、またブラインド１内を真空状態に密閉することにより、この種のブラインドを窓側の扉又はドアに組み込めば、結露防止が図られる。
また図１に示すブラインド１を高層住宅のドアに取り付けた場合でも、ブラインド１内に圧力調整用棒材２１（図４）を組み込んであるので、ブラインド内の圧力調整が自動的に行える。
【００３１】
この発明を実施するための他の形態について図３２〜図４３を参照して説明する。
図示するブラインド１Ａに係る構成の特徴は、図３２に示すように、ブラインドの両側に、ブラインド用動作制御装置Ｕ１Ａを形成している昇降制動体８Ａ及び昇降操作体９Ａと、ブラインド用動作制御装置Ｕ１１Ａを形成している角度調整制動体１８Ａ及び角度調整操作体１９Ａとをそれぞれ配置している点にある。このため、図３８に示すように、外側に位置しているローラ枠として、第３のローラ枠３２とは別に、外側のローラ枠である第４のローラ枠３２Ａを設けている。また第４のローラ枠３２Ａの内部には、角度調整制動ローラ２５Ａを配置している。第４のローラ枠３２Ａは、第１のローラ枠３０及び第２のローラ枠３１を挟んで、第３のローラ枠３２と対向側（図３８左側）に設けてある。
ブラインド１Ａの他の構成は、図１に示すブラインド１のそれと実質的に同一であるので、ブラインド１と共通する構成部分についての説明に用いる符号を、ブラインド１の説明の際に使用した符号と一致させている。
以下、この発明に係る形態の特徴を説明し、ブラインド１と共通する構成に関しては必要に応じて説明する。
【００３２】
図３２〜図３５において、ブラインド１Ａの支持枠２Ａの本体は、左右の縦枠２ａ，２ｂと上下の横枠２ｃ，２ｄとを組み合わせた四角形状のフレームである。両縦枠２ａ，２ｂの内側には、溝状の側カバー１０，１０Ａを取り付けてある。また上方の横枠２ｃの内側にも、Ｌ形カバー部１１Ａａ，１１Ａｂを組み合わせた溝状の上カバー１１Ａを取り付けてある。
図３５に示すＬ形カバー部１１Ａａ，１１Ａｂにおいて、水平部１１ａ１，１１ｂ１には、内方から外方に向けてＵ字形に切り込んである係止孔１１ａ１１，１１ａ１２，１１ａ１３，１１ａ１３Ａ及び係止孔１１ｂ１１，１１ｂ１２，１１ｂ１３，１１ｂ１３Ａを長さ方向（図３６上下方向）に間隔を隔てて配置してある。
図３５に示すように、Ｌ形カバー部１１Ａａの水平部１１ａ１の上に、他方のＬ形カバー部１１Ａｂの水平部１１ｂ１が重ねられている。重ねられている状態において、係止孔１１ａ１１と係止孔１１ｂ１１、係止孔１１ａ１２と係止孔１１ｂ１２、係止孔１１ａ１３と係止孔１１ｂ１３及び係止孔１１ａ１３Ａと係止孔１１ｂ１３Ａが長孔状の保持孔を形成している。
Ｌ形カバー部１１Ａａ，１１Ａｂは、水平部１１ａ１，１１ｂ１の対の係止孔１１ａ１１と係止孔１１ｂ１１、係止孔１１ａ１２と係止孔１１ｂ１２、係止孔１１ａ１３と係止孔１１ｂ１３、係止孔１１ａ１３Ａと係止孔１１ｂ１３Ａが、後述する第１、第２、第３及び第４のローラ枠３０，３１，３２，３２Ａ（図３８）のガイド筒３０ｂ，３１ｂ，３２ｂ，３２Ａｂの係合溝３０ｃ，３１ｃ，３２ｃ，３２Ａｃに差し込まれた状態で、第１、第２、第３及び第４のローラ枠を保持している。
【００３３】
図３７、図４０〜図４３において、いずれもブラインド用動作制御具である昇降制動体８Ａ及び昇降操作体９Ａは、ブラインド本体５のブレード５ａの昇降機構６Ａを操作する手段である。またいずれもブラインド用動作制御具である角度調整制動体１８Ａ及び角度調整操作体１９Ａは、ブラインド本体５のブレード５ａの角度調整機構７Ａを操作する手段である。
図３２に示す例では、昇降制動体８Ａ及び昇降操作体９Ａは、正面側のガラス板３の前面の右側に配置されている。また角度調整制動体１８Ａ及び角度調整操作体１９Ａは、正面側のガラス板３の前面の左側に配置されている。
【００３４】
図３２及び図３７〜図４０において、ブレード５ａの昇降機構６Ａは前記昇降機構６と同一構成であるので、その説明を省略する。
図３２及び図３７〜図４０において、ブレード５ａの角度調整機構７Ａは、回転軸２２Ａと、この回転軸に取り付けられている内側の第１及び第２の角度調整伝動ローラ２３，２４、外側の角度調整制動ローラ２５，２５Ａを備えている。
外側の一方の角度調整制動ローラ２５Ａは、回転軸２２Ａの図３７の左端に固着されている。角度調整制動紐２８Ａは、角度調整制動ローラ２５Ａと保持ローラ２９との間に掛け回わされている。すなわち、角度調整制動紐２８Ａの図３８上端側は、角度調整制動ローラ２５Ａの保持溝２５Ａａ内に掛け回され、角度調整制動紐の下端側は保持体４８に取り付けられている保持ローラ２９に掛け回されている。角度調整制動紐２８Ａには角度調整制動体１８Ａを介在させてある。角度調整制動ローラ２５Ａは、第４のローラ枠３２Ａに配置されている。
図３８及び図３９において、第４のローラ枠３２Ａは第３のローラ枠３２と同一構成である。第４のローラ枠３２Ａの軸受け３２Ａａ、通孔３２Ａａ１，３２Ａａ２，３２Ａａ３，３２Ａａ４、ガイド筒３２Ａｂ、係合溝３２Ａｃ、仕切り３２Ａｄ、ガイド通路３２Ａｅ１，３２Ａｅ２，３２Ａｅ３，３２Ａｅ４は、第３のローラ枠３２の軸受け３２ａ、通孔３２ａ１，３２ａ２，３２ａ３，３２ａ４、ガイド筒３２ｂ、係合溝３２ｃ、仕切り３２ｄ、ガイド通路３２ｅ１，３２ｅ２，３２ｅ３，３２ｅ４にそれぞれ対応している。
図３９に示すように、第１のローラ枠３０の通孔３０ａ１，３０ａ４、第２のローラ枠３１の通孔３１ａ１，３１ａ４、第３のローラ枠３２の通孔３２ａ１，３２ａ４、第４のローラ枠３２Ａの通孔３２Ａａ１，３２Ａａ４は、同一直線上に配置されている。また第１のローラ枠の通孔３０ａ２，３０ａ３、第２のローラ枠の通孔３１ａ２，３１ａ３、第３のローラ枠の通孔３２ａ２，３２ａ３、第４のローラ枠の通孔３２Ａａ２，３２Ａａ３は、同一直線上に配置されている。
【００３５】
図４０〜図４２において、昇降制動体８Ａは前記昇降制動体８と同一構成であり、また昇降操作体９Ａは前記昇降操作体９と同一構成である。昇降制動体８Ａと昇降操作体９Ａとの関係に関しても、昇降制動体８と昇降操作体９との関係と同様である。
図４１に示すガイドレール４６Ａ１及びガイドスリット４６Ａ１ａは、前記ガイドレール４６及びガイドスリット４６ａに対応している。
昇降操作体９Ａは、ガイド突部９ｂを介してガイドレール４６Ａ１のガイドスリット４６Ａ１ａに沿って上下方向に移動することができる。ガイドレール４６Ａ１の両端には、ストッパ４７ｄ，４７ｅを取り付けてある。昇降操作体９Ａが昇降することができる範囲は、ストッパ４７ｄとストッパ４７ｅとの間である。
【００３６】
図４０、図４１及び図４３において、角度調整制動体１８Ａは前記角度調整制動体１８と同一構成であり、また角度調整操作体１９Ａは前記角度調整操作体１９と同一構成である。
角度調整制動体１８Ａと角度調整操作体１９Ａとの関係に関しても、角度調整制動体１８と角度調整操作体１９との関係と同様である。
角度調整制動体１８と共通する角度調整制動体１８Ａの構成部分を示す符号に関しては、図２０〜図２１に記載されている角度調整制動体１８における走行ローラ、ローラ軸、補助走行ローラ、ローラ軸、磁性板及び磁気的吸引部材であるマグネットに対応している符号（「１３８」、１３９」、「１４０」、「１４１」、「１４２」、「１４３」）をそのまま使用している。
また角度調整操作体１９と共通する角度調整操作体１９Ａの構成部分を示す符号に関しては、図２０〜図２２に記載されている角度調整操作体１９における本体ホルダー、凹部、ガイド突部、収納穴部、本体、収納穴部、磁気的吸引部材であるマグネット、走行ローラ、磁性板及び位置保持板に対応している符号（「１９Ｂ１」、「１９ａ」、「１９ｂ」、「１９Ｂ１ａ」、「１９Ｂ２」、「１９Ｂ２ａ」、「１４４」、「１４５」、「１５３」、「１５４」）をそのまま使用している。
角度調整制動体１８Ａは、走行ローラ１３８を通じて縦枠２ａの走行レール２ａ１（図３４）上を昇降することができる。角度調整制動体１８Ａは、補助走行ローラ１４０を通じて縦枠２ａの側カバー１０Ａ内面上を昇降することができ、安定的走行を可能にしている。またマグネット１４３の正面の端面は、縦枠２ａに対向状態に露出されている。
図４１に示すガイドレール４６Ａ２及びガイドスリット４６Ａ２ａは、前記ガイドレール４６及びガイドスリット４６ａに対応している。
角度調整操作体１９Ａは、ガイド突部１９ｂを介してガイドレール４６Ａ２のガイドスリット４６Ａ２ａに沿って上下方向に移動することができる。ガイドレール４６Ａ２の両端には、ストッパ４７ｆ，４７ｇを取り付けてある。角度調整操作体１９Ａが昇降することができる範囲は、ストッパ４７ｆとストッパ４７ｇとの間である。
【００３７】
図３７において、ブラインド本体５を全面開放又は一部開放するためには、図右側に位置している昇降操作体９Ａを上昇させると、昇降制動体８Ａも上昇する。この上昇に伴って、第１及び第２の昇降紐１３，１４は保持ローラ３３を介して上方に引っ張られる。このため、ブレード５ａは上方に持ち上げられ、押し上げられるから、ブラインド本体５は収縮され、開放される。
ブラインド本体５を全面閉鎖又は一部閉鎖するためには、昇降操作体９Ａを降下させると、昇降制動体８Ａも降下され、この降下に伴って第１及び第２の昇降紐１３，１４の引っ張り状態が緩み、ブレード５ａは降下するため、ブラインド本体５は延びて、閉鎖される。
【００３８】
図３７左側に位置している角度調整操作体１９Ａを上下方向に移動させると、角度調整制動体１８Ａも角度調整操作体の移動に伴って、この角度調整操作体の移動方向と同一方向に移動する。角度調整制動体１８Ａの移動により、角度調整制動ローラ２５Ａと保持ローラ２９との間に掛け回してある角度調整制動紐２８Ａは、時計方向に又は反時計方向に移動される。同時に、角度調整制動ローラ２５Ａは正転又は反転され、その回転力が回転軸２２Ａを通じて第１及び第２の角度調整伝動ローラ２３，２４に伝達され、正転又は反転される。この結果、第１及び第２の角度調整紐２６，２７が上下方向に移動してブラインド本体５の各ブレード５ａの角度が調整される。
【００３９】
図３２及び図３７に示す例では、対の昇降制動体８Ａ及び昇降操作体９Ａと、対の角度調整制動体１８Ａ及び角度調整操作体１９Ａとは、左右に離れて配置されている。このため、他方（図３７右方）の角度調整制動ローラ２５の保持溝２５ａ（図３８）には角度調整制動紐が掛け回されていない。また図３８に示す第４のローラ枠３２Ａの内底部に取り付けてある昇降伝動中間ローラ１７Ａには、昇降紐が掛け回されていない。
【００４０】
図１及び図３２に示すブラインド１，１Ａにおいて、支持枠２，２Ａをガラス板３で挟み、支持枠の外周を弾性封止部材４（図１のみ図示）によって封止して支持枠内を密閉にし、支持枠とガラス板とが一体化されているので、ブラインドの内部の真空化を実現することができ、真空化が結露防止に有効である。また一体化により、ブラインド１，１Ａを室内に設置しているドアＤなどの内部にも容易に組み込むことができるから、ブラインドの利用範囲を広げることができる。さらに、ブラインド１，１Ａを高層建物に設置されているドアＤなどに使用した場合でも、図４に示す圧力調整用棒材２１を設けているので、支持枠２，２Ａの内部の圧力は自動的に調整され、このために圧力変化に自在に対応できる。
ブラインド１，１Ａの開閉のための操作は、マグネット４３を有する昇降制動体８，８Ａとマグネット４４を有する昇降操作体９，９Ａとによって行われる。またブレード５ａの角度調整のための操作はマグネット１４３を有する角度調整制動体１８，１８Ａとマグネット１４４を有する角度調整操作体１９，１９Ａとによって行われる。このために、ブラインド１，１Ａに、開閉操作手段となる紐用の開口部を開ける必要がないから、ブラインド１，１Ａの外観美に優れ、支持枠内の密封が容易に実現でき、そしてブラインドをドア、壁の開口部又は窓のサッシなどにも簡単に取り付けることができる。
図１及び図３２に示すブラインド１，１Ａにおいて、支持枠２，２Ａを透明板３で挟むようにして保持し、支持枠の外周を弾性封止部材４（図１のみ図示）により封止し、全体が装置化されているので、ブラインドの運搬や取付け作業の迅速化や簡易化に寄与する。
上下方向に移動可能である保持体３４，４８は、引っ張りばね２０，５１に接続されているので、第１及び第２の昇降紐１３，１４、角度調整制動紐２８，２８Ａに負荷がかかっても、その負荷を吸収して、紐の破損を防止することができる。
【００４１】
昇降制動体８にあっては、上下動する距離が長くなる場合でも、走行ローラ３８を設けていることによって、昇降制動体の上下動が円滑となり、そして走行時にガラス板３の表面に接触するのを防止できることから走行がより一層スムーズとなる。
昇降操作体９にあっては、この昇降操作体を本体ホルダー９Ｂ１と本体９Ｂ２とを互いに分離又は結合可能に組み合わせているので、上記本体に対して多種類のデザインを有する本体ホルダーを組み合せることができる。また、例えば本体ホルダー９Ｂ１や走行ローラ４５に損傷などがあって昇降操作体９を交換する必要がある場合、本体ホルダーのみの交換で良く、又はマグネット４４及び位置保持板５４を除く本体のみの交換で良いので、交換を低コストで実現することができる。さらに、昇降操作体９によれば、磁性板５３を設けているので、位置保持が確実になる。また昇降操作体９によれば、位置保持板５４を配置することにより、マグネット４４の位置保持を強化することができる。
走行ローラ４５を設けていることによって、昇降操作体９の上下動が円滑となり、そして走行時にガラス板３の表面に接触するのを防止できることから走行がより一層スムーズとなる。
昇降制動体８と昇降操作体９とは、マグネット４３，４４の磁気力によって互いに吸引し合うが、走行ローラ３８，４５の相互の間隔が保たれ、ガラス板３の表面に密着することを防止できることから、上下動の操作が円滑に行える。このような効果は、角度調整制動体１８と角度調整操作体１９との間でも生じ得る。
昇降操作体９Ａ及び角度調整操作体１９Ａについても、昇降操作体９における上記効果と同様な効果が生じ得る。
【００４２】
図１６及び図１７に示す第１及び第２の昇降紐の他端部１３ｂ，１４ｂ、引っ張りばね（弾性体）２０、保持ローラ３３、保持体３４、止めねじ３６、止め部材３７の各関係の他の例を図４４及び図４５を参照して説明する。
説明上、図４４及び図４５では、図１６及び図１７に記載されている符号「２ｂ」、「１３ｂ」、「１４ｂ」をそのまま使用している。
図４４及び図４５に示す引っ張りばね（弾性体）１２０、保持ローラ１３３、保持体１３４、止めねじ１３６、止め部材１３７は、図１６及び図１７に示す引っ張りばね２０、保持ローラ３３、保持体３４、止めねじ３６、止め部材３７にそれぞれ対応している。
図４４及び図４５に示す上記各関係は、止め部材１３７が保持体１３４を貫通している点を除いて、図１６及び図１７に示す上記各関係と実質的に同一である。すなわち、
保持体１３４は、その上下２箇所に長孔１３４ｂを開けてある。上側の長孔１３４ｂ内には、止めねじ１３６が、下側の長孔１３４ｂ内に止め部材１３７がそれぞれ上下方向に移動可能に位置している。止めねじ１３６及び止め部材１３７は縦枠２ｂから突出している。保持体１３４は、縦枠２ｂに対して止めねじ１３６及び止め部材１３７を介して上下方向に移動可能である。保持体１３４の軸受け部１３４ａ間には保持ローラ１３３が位置している。保持体１３４は、引っ張りばね１２０によって図４４下方にばね力が付与されている。引っ張りばね１２０は図４４に示す例ではコイルスプリングからなり、その一端は保持体１３４の軸受け部１３４ａの下部に設けてあるばね受け１３４ｃに、他端は縦枠２ｂから突出し、保持体１３４を貫通している止め部材１３７に掛け止められている。保持ローラ１３３は、保持体１３４の軸受け部１３４ａに軸１３５を回転中心として支持されている。
第１及び第２の昇降紐、第１及び第２の昇降紐の他端部１３ｂ，１４ｂを掛け回している保持ローラ１３３、保持体１３４、引っ張りばね１２０の相互の関係を基礎とする負荷緩衝効果は、上述した第１及び第２の昇降紐１３，１４、第１及び第２の昇降紐の他端部１３ｂ，１４ｂを掛け回している保持ローラ３３、保持体３４、引っ張りばね２０の相互の関係を基礎とする負荷緩衝効果と同じである。
【００４３】
また図２７及び図２８に示す角度調整制動紐の他端部２８ｂ、保持ローラ２９、保持体４８、止めねじ４９、引っ張りばね（弾性体）５１、止め部材５２の各関係の他の例を図４６及び図４７を参照して説明する。
説明上、図４６及び図４７では、図２７及び図２８に記載されている符号「２ｂ」、「２８ｂ」をそのまま使用している。
図４６及び図４７に示す保持ローラ１２９、保持体１４８、止めねじ１４９、引っ張りばね（弾性体）１５１、止め部材１５２は、図２７及び図２８に示す保持ローラ２９、保持体４８、止めねじ４９、引っ張りばね５１、止め部材５２にそれぞれ対応している。
図４６及び図４７に示す上記各関係は、止め部材１５２が保持体１４８を貫通している点を除いて、図２７及び図２８に示す上記各関係と実質的に同一である。すなわち、
保持体１４８は、その上下２箇所に長孔１４８ｂを開けてある。上側の長孔１４８ｂ内には、止めねじ１４９が、下側の長孔１４８ｂ内に止め部材１５２がそれぞれ上下方向に移動可能に位置している。止めねじ１４９及び止め部材１５２は縦枠２ｂから突出している。保持体１４８は、縦枠２ｂに対して止めねじ１４９及び止め部材１５２を介して上下方向に移動可能である。保持体１４８の軸受け部１４８ａ間には保持ローラ１２９が位置している。保持体１４８は、引っ張りばね１５１によって図４６下方にばね力が付与されている。引っ張りばね１５１は図４６に示す例ではコイルスプリングからなり、その一端は保持体１４８の軸受け部１４８ａの下部に設けてあるばね受け１４８ｃに、他端は縦枠２ｂから突出し、保持体１４８を貫通している止め部材１５２に掛け止められている。保持ローラ１２９は、保持体１４８の軸受け部１４８ａに軸を回転中心として支持されている。
角度調整制動紐、角度調整制動紐の他端部２８ｂを掛け回している保持ローラ１２９、保持体１４８、引っ張りばね１５１の相互の関係及び負荷緩衝効果は、上述した角度調整制動紐２８、その他端部２８ｂを掛け回している保持ローラ２９、保持体４８、引っ張りばね５１の相互の関係及び負荷緩衝効果と同じである。
図４４及び図４６に示す各例における負荷緩衝効果に関して繰り返し述べると、保持ローラ１２９に掛け回されている角度調整制動紐や、保持ローラ１３３に掛け回されている第１及び第２の昇降紐にそれぞれ負荷がかかった場合でも、保持体１３４，１４８は、上下方向に移動可能であり、かつ引っ張りばね１２０，１５１に接続されているので、その負荷を吸収して、紐の破損を防止することができる。
図１６、図２７、図４０、図４４及び図４６に示す負荷緩衝手段としての弾性体２０，５１，１２０，１５１に関し、弾性体２０，１２０は昇降制動体８，８Ａに対応して設けられ、弾性体５１，１５１は角度調整制動体１８，１８Ａに対応して設けられるが、昇降制動体及び角度調整制動体の双方に対応して設けることが、紐の破断抑制の観点から望ましいものであるが、いずれか一方に対応して設けるものであっても良く、また例えば開閉操作や角度調整操作をあまり繰り返し行わないブラインドを利用する場合や、構成を簡単にする必要な場合などにあっては、弾性体２０，５１，１２０，１５１を設けなくても良い。弾性体２０，５１，１２０，１５１はコイルスプリングに限定されず、例えば板ばねなどの弾性部材であっても良い。
【００４４】
図２２〜図２６に示す昇降操作体９の他の例を図４８〜図４９を参照して説明する。
図４８〜図４９に示す昇降操作体９Ｃは昇降操作体９と主要部については共通している。このため、昇降操作体９Ｃの特徴的部分を主に説明し、その他の部分の説明を省略する。また昇降操作体９と共通する昇降操作体９Ｃにおける構成部分を示す符号に関しては、図２２〜図２６に記載されている符号（「９ｂ」、「４４」、「４５」、「５３」、「５４」）をそのまま使用している。
昇降操作体９Ｃの特徴的部分は、本体９Ｃ２が組み込まれている本体ホルダー９Ｃ１側に走行ローラ４５を設けていることにある。
本体ホルダー９Ｃ１の上下箇所には、収納穴部９Ｃ１ａを挟んで走行ローラ４５を設けてある。収納穴部９Ｃ１ａ内には、昇降操作体９Ｃの本体９Ｃ２を収納してある。
本体９Ｃ２は、厚み方向（図４８の紙面に垂直方向）に貫通する収納穴部９Ｃ２ａを開けてある。収納穴部９Ｃ２ａ内には磁性板５３及びマグネット４４をそれぞれ収納してある。マグネット４４と収納穴部９Ｃ２ａの内壁との間に隙間が生じる場合には、この隙間に対応することができる厚みを有する位置保持板５４を挿入する。
【００４５】
図２２〜図２６に示す昇降操作体９のさらに他の例を図５０〜図５３を参照して説明する。
図５０〜図５３に示す昇降操作体９Ｄは、昇降操作体９と主要部について共通している。このため、昇降操作体９Ｄの特徴的部分を主に説明し、その他の部分の説明を省略する。また昇降操作体９と共通する昇降操作体９Ｄにおける構成部分を示す符号に関しては、図２２〜図２６に記載されている符号（「９ａ」、「９ｂ」、「４４」、「４５」、「５３」、「５４」）をそのまま使用している。
昇降操作体９Ｄの特徴的部分は、昇降操作体９のように本体ホルダー９Ｂ１と本体９Ｂ２とに二分していないことである。すなわち、
昇降操作体９Ｄには収納穴部９Ｄｃを設けてある。収納穴部９Ｄｃの底部には、磁性板５３を敷いてある。また収納穴部９Ｄｃ内には、マグネット４４を収納し、固定してある。マグネット４４は、底部側に位置している磁性板５３に吸引され、固定されている。マグネット４４と収納穴部９Ｄｃの内壁との間に隙間が生じる場合には、この隙間に対応することができる厚みを有する位置保持板５４を挿入する。位置保持板５４は、マグネット４４の位置保持を強化する手段である。
昇降操作体９Ｄによれば、磁性板５３を設けているので、位置保持が確実になり、また位置保持板５４を配置することにより、マグネット４４の位置保持を強化することができる。
【００４６】
図３２に示す昇降操作体９Ａに代えて、上記昇降操作体９Ｃ又は昇降操作体９Ｄのいずれかを用いても良い。
【００４７】
図２０に示す角度調整操作体１９に代えて、また図４３に示す角度調整操作体１９Ａに代えて、上記昇降操作体９Ｃ又は昇降操作体９Ｄのいずれかの構造をそれぞれ適用しても良い。
図５４に示す角度調整操作体１９Ｂは、図２２に示す昇降操作体９の構造を適用した例である。ただし、適用するために一部変更しているので、角度調整操作体１９Ｂと昇降操作体９との相違点について説明する。
図２２に示す昇降操作体９には走行ローラ４５を上下２箇所に設けてあるが、図５４に示す角度調整操作体１９Ｂには走行ローラを設けていない。
その理由は次のとおりである。
角度調整操作体１９Ｂによるブレードの角度調整操作のためにする上下方向の移動距離は、昇降操作体９によるブレードの昇降のためにする上下方向の移動距離と比較して、わずかであるからである。換言すれば、昇降操作体９には、この昇降操作体の安定走行には走行ローラ４５を設けておくのが良い。しかし角度調整操作体１９Ｂは、これに走行ローラを取り付けなくても、その移動距離がわずかであることから、上下操作に支障がないからである。
図５４に記載されている符号において、１９ｂはガイド突部、１９Ｂ１は本体ホルダー、１９Ｂ１ａは本体ホルダーの収納穴部、１９Ｂ２は角度調整操作体１９Ｂの本体、１９Ｂ２ａは本体１９Ｂ２の収納穴部、１４４はマグネット、１５３は磁性板、１５４は位置保持板をそれぞれ示す。
したがって、角度調整操作体１９，１９Ａにも必ずしも走行ローラ１４５（図２０及び図４３）を設けることを必要としない。
【００４８】
図１６に示す昇降制動体８及び図４０に示す昇降制動体８Ａについても、図２２に示す昇降操作体９が有する組み合わせ構造を適用しても良い。
適用例を図５５及び図５６に示す昇降制動体８Ｂについて説明する。
昇降制動体８Ｂは昇降制動体８と主要部で共通している。このため、昇降制動体８Ｂの特徴的部分を主に説明し、その他の部分の説明を省略する。また昇降制動体８と共通する昇降制動体８Ｂにおける構成部分を示す符号に関しては、図１６及び図１７に記載されている符号（「３８」、「３９」、「４０」、「４１」、「４２」、「４３」）をそのまま使用している。
昇降制動体８Ｂの特徴的部分は、この昇降制動体を本体ホルダー８Ｂ１と本体８Ｂ２とに二分して、これらを分離又は結合可能に組み合わせていることにある。
本体ホルダー８Ｂ１には、昇降制動体８Ｂの本体８Ｂ２を収納することができる収納穴部８Ｂ１ａを設けてある。
昇降制動体８Ｂの本体８Ｂ２は、図５６の紙面に垂直方向に貫通する収納穴部８Ｂ２ａを開けてある。収納穴部８Ｂ２ａ内の正面側（図５６背面側）に磁性板４２を、その反対側にはマグネット４３をそれぞれ収納してある。マグネット４３と収納穴部８Ｂ２ａの内壁との間に隙間が生じる場合には、この隙間に対応することができる厚みを有する位置保持板５５を挿入する。位置保持板５５はマグネット４３の位置保持を強化する手段である。位置保持板５５の一端部は磁性板４２に接触している。昇降制動体８Ｂの本体８Ｂ２の背面の上下２箇所に回転可能である補助走行ローラ４０を設けてある。
昇降制動体８Ｂの本体８Ｂ２は、本体ホルダー８Ｂ１の収納穴部８Ｂ１ａ内に嵌め込まれており、本体ホルダーと一体化されている。
【００４９】
図２０に示す角度調整制動体１８に代えて、また図４３に示す角度調整制動体１８Ａに代えて、それぞれ図５５に示す昇降制動体８Ｂが有する組み合わせ構造を用いても良い。この場合、昇降制動体８Ｂに設けてある補助走行ローラ４０に相当する走行ローラを取り付けなくても良い。
【００５０】
図１に示すブラインド１において、角度調整操作体１９を図右側にかつ上方に配置し、また昇降操作体９を角度調整操作体と同じ側の下方に配置している。しかし、角度調整操作体１９を下方に、昇降操作体９を上方に配置しても良い。
昇降操作体９及び角度調整操作体１９は、ブラインド１の設置場所などに応じて、図１左側に設置しても良い。この場合には、図９に描かれている図を縦方向の中心線を軸として半転させた構成となる。すなわち、図９左側から右側に向けて角度調整制動ローラ２５、第２の角度調整伝動ローラ２４、第１の角度調整伝動ローラ２３を並べる。同様に、昇降伝動中間ローラ１７、第２の昇降伝動ローラ１６、第１の昇降伝動ローラ１５を並べる。そして第１の昇降紐１３は、第１の昇降伝動ローラ１５から第２の昇降伝動ローラ１６及び昇降伝動中間ローラ１７を経て保持ローラ３３に導かれる。第２の昇降紐１４は、第２の昇降伝動ローラ１６から昇降伝動中間ローラ１７を経て保持ローラ３３に導かれる。角度調整制動紐２８は、角度調整制動ローラ２５に掛け回される。
図３２に示すブラインド１Ａにおいて、昇降操作体９Ａを図右側に配置し、角度調整操作体１９Ａを図左側に配置した。しかし、昇降操作体９Ａと角度調整操作体１９Ａとの位置関係を左右逆にしても良い。左右の位置関係を逆にした場合は、図３７に描かれている図を縦方向の中心線を軸として半転させた構成となる。すなわち、図３７左側から右側に向けて一方の角度調整制動ローラ２５、第２の角度調整伝動ローラ２４、第１の角度調整伝動ローラ２３及び他方の角度調整制動ローラ２５Ａを並べる。同様に、昇降伝動中間ローラ１７、第２の昇降伝動ローラ１６、第１の昇降伝動ローラ１５及び昇降伝動中間ローラ１７Ａを並べる。そして第１の昇降紐１３は、第１の昇降伝動ローラ１５から第２の昇降伝動ローラ１６及び昇降伝動中間ローラ１７を経て保持ローラ３３に導かれる。第２の昇降紐１４は、第２の昇降伝動ローラ１６から昇降伝動中間ローラ１７を経て保持ローラ３３に導かれる。角度調整制動紐２８Ａは、角度調整制動ローラ２５Ａに掛け回される。
また図３２に示すブラインド１Ａにおいて、上述した左右位置関係を逆にした場合、半転させることなく、第１及び第２の昇降紐１３，１４の引き出す方向を図３７の左方向にし、また角度調整制動紐２８Ａを角度調整制動ローラ２５Ａから角度調整制動ローラ２５に切り換えて角度調整制動ローラ２５に掛け回せば良い。第１の昇降紐１３は、第１の昇降伝動ローラ１５から昇降伝動中間ローラ１７Ａ（図３７）を経て保持ローラ３３に導き、第２の昇降紐１４は、第２の昇降伝動ローラ１６から第１の昇降伝動ローラ１５及び昇降伝動中間ローラ１７Ａを経て保持ローラ３３に導く。角度調整制動紐２８Ａを角度調整制動ローラ２５（図３７）に掛け回す。
図３２に示すブラインド１Ａにおいて、図３７及び図３８に示すように、回転軸２２Ａの両端側にいずれも同一構成の外側のローラ枠３２，３２Ａ、昇降伝動中間ローラ１７，１７Ａ、角度調整制動ローラ２５，２５Ａを配置しているので、ガラス板３に対する昇降操作体９Ａ及び角度調整操作体１９Ａの取付け位置は、図３７左右のいずれかの一側の取付け位置を任意に選択することができる。また昇降操作体９Ａ及び角度調整操作体１９Ａの取付け位置に関して、ガラス板３に対する片側でかつ上下のいずれかの一方の取付け位置も任意に選択することができる。
【００５１】
図１及び図３２に示すブラインド１，１Ａにおいて、その構成部品を共通化しながらも、多様な昇降機構６，６Ａや角度調整機構７，７Ａを備えたブラインドを製造することができる。もちろん、例えば第１及び第２のローラ枠３０，３１、第３及び第４のローラ枠３２，３２Ａ、第１及び第２の昇降伝動ローラ１５，１６、第１及び第２の角度調整伝動ローラ２３，２４、外側の角度調整制動ローラ２５，２５Ａ、昇降制動体８，８Ａ及び角度調整制動体１８，１８Ａ、昇降操作体９，９Ａ及び角度調整操作体１９，１９Ａなどのように構成部品を共通化することにより、製造や組み立てを容易にしているが、共通化はこの発明に必要不可欠なものではない。
必ずしも弾性封止部材４によって支持枠２，２Ａ内を密閉にすることを要しない。
昇降操作体９，９Ａ及び角度調整操作体１９，１９Ａの操作手段は手動でもまた自動でも良い。昇降操作体９，９Ａ及び角度調整操作体１９，１９Ａを自動操作する場合に、例えば上記各操作体の本体にモータを組み込んで、リモートコントロールによってモータを制御して内蔵しているローラ４５，１４５を介して走行可能にしても良い。
昇降操作体９，９Ａ及び角度調整操作体１９，１９Ａの配置位置に関しても、図示の例では正面のガラス板３の左右両側又は片側としているが、これらの例に限定されるものではなく、上辺側又は下辺側でも良く、また正面（前面）に限られず、側面側であっても良く、適宜である。
昇降紐の本数は、図１及び図３２に示す例においては第１及び第２の昇降紐１３，１４の２本で構成されているが、ブラインド１，１Ａの長さや幅などの条件に応じて３本以上であっても良い。昇降伝動ローラの数は昇降紐の本数に対応するものである。
図３７に示す例では、昇降伝動中間ローラ１７Ａ及び外側の角度調整制動ローラ２５Ａを設けなくても良い。
【００５２】
対の昇降制動体８，８Ａ及び昇降操作体９，９Ａは双方を磁気的吸引部材であるマグネット４３，４４によって、また対の角度調整制動体１８，１８Ａ及び角度調整操作体１９，１９Ａの双方も磁気的吸引部材であるマグネット１４３，１４４によって互いに磁気による吸引関係を強力に維持できるようにしているが、磁気的吸引部材は必ずしもこの例に限定されず、両マグネット４３，４４のうち一方のみを磁気的吸引部材としてのマグネットとし、他方を磁気的吸引部材としての磁性体としても良く、同様に両マグネット１４３，１４４のうち一方のみをマグネットとし、他方を磁気体としても良い。
【００５３】
ブラインド１，１Ａ内を真空の状態にすることができない場合や、真空状態ではないが密閉状態を維持することができない場合には、結露防止のために、支持枠２の縦枠２ａ，２ｂ及び横枠２ｃ，２ｄ内に、また側カバー１０及び上カバー１１の収納空間内に乾燥粉末剤、活性炭その他の湿気除去剤を配置しておくことが望ましい。
【図面の簡単な説明】
【００５４】
【図１】この発明に係るブラインド用動作制御具の使用状態を示す一部切欠正面図である。
【図２】この発明に係るブラインド用動作制御具の使用状態を示す正面図である。
【図３】図２の左側面図である。
【図４】図１のＩＶ−ＩＶ線拡大断面図である。
【図５】図１のＶ−Ｖ線拡大断面図である。
【図６】この発明に係るブラインド用動作制御具が適用されるブラインドの支持枠を示す一部切欠拡大正面図である。
【図７】この発明に係るブラインド用動作制御具が適用されるブラインドの一方の縦枠を示す拡大側面図である。
【図８】この発明に係るブラインド用動作制御具が適用されるブラインドの上カバーを分解して示す拡大平面図である。
【図９】この発明に係るブラインド用動作制御具が適用されるブラインドのブレードの昇降機構及び角度調整機構の概略を示す構成図である。
【図１０】この発明に係るブラインド用動作制御具が適用されるブラインドにおけるブレード、第１の昇降紐、第１の角度調整紐、第１の昇降伝動ローラ及び第１の角度調整伝動ローラの相互関係を側面側から示す拡大断面図である。
【図１１】この発明に係るブラインド用動作制御具が適用されるブラインドにおけるブレード、第２の昇降紐、第２の角度調整紐、第２の昇降伝動ローラ及び第２の角度調整伝動ローラの相互関係を側面側から示す拡大断面図である。
【図１２】この発明に係るブラインド用動作制御具が適用されるブラインドにおける第１及び第２の角度調整伝動ローラ並びに角度調整制動ローラの取付け状態を示す拡大正面図である。
【図１３】図１２のＸＩＩＩ−ＸＩＩＩ線断面図である。
【図１４】図１２のＸＩＶ−ＸＩＶ線拡大断面図である。
【図１５】この発明に係るブラインド用動作制御具が適用されるブラインドにおける第１、第２及び第３のローラ枠と上カバーとの関係を示す一部断面拡大側面図である。
【図１６】この発明に係るブラインド用動作制御具を構成している昇降制動体と、第１及び第２の昇降紐との関係を示す拡大正面図である。
【図１７】この発明に係るブラインド用動作制御具を構成している昇降制動体と、第１及び第２の昇降紐との関係を示す拡大側面図である。
【図１８】図１６のＸＶＩＩＩ−ＸＶＩＩＩ線拡大断面図である。
【図１９】保持体の拡大側面図であって、（ｉ）は保持体の通常の位置を、（ｉｉ）は保持体が移動した位置をそれぞれ示すものである。
【図２０】この発明に係るブラインド用動作制御装置を構成している昇降制動体と昇降操作体との関係、角度調整制動体と角度調整操作体との関係をそれぞれ示す一部断面拡大側面図である。
【図２１】この発明に係るブラインド用動作制御具を構成している昇降操作体及び角度調整操作体の取り付け状態を示す拡大正面図である。
【図２２】この発明に係るブラインド用動作制御具を構成している昇降操作体を示す一部切欠拡大背面図である。
【図２３】図２２のＸＸＩＩＩ−ＸＸＩＩＩ線断面図である。
【図２４】図２２のＸＸＩＶ−ＸＸＩＶ線断面図である。
【図２５】図２２における昇降操作体を示す分解図である。
【図２６】図２２における昇降操作体を分解して示す一部断面側面図である。
【図２７】この発明に係るブラインド用動作制御具を構成している角度調整制動体と、角度調整制動紐との関係を示す拡大正面図である。
【図２８】この発明に係るブラインド用動作制御具を構成している角度調整制動体と、角度調整制動紐との関係を示す拡大側面図である。
【図２９】図２７のＸＸＩＸ−ＸＸＩＸ線拡大断面図である。
【図３０】保持体の拡大側面図であって、（ｉ）は保持体の通常の位置を、（ｉｉ）は保持体が移動した位置をそれぞれ示すものである。
【図３１】この発明に係るブラインド用動作制御具が使用されているブラインドを片開き室内ドアに適用した例を示す正面図である。
【図３２】この発明に係るブラインド用動作制御具が使用されているブラインドの他の形態を示す正面図である。
【図３３】図３２の側面図である。
【図３４】図３２のＸＸＸＩＶ−ＸＸＸＩＶ線拡大断面図である。
【図３５】この発明に係るブラインド用動作制御具が適用されるブラインドにおける支持枠の他の例を示す一部切欠拡大正面図である。
【図３６】この発明に係るブラインド用動作制御具が適用されるブラインドにおける上カバーの他の例を分解して示す拡大平面図である。
【図３７】この発明に係るブラインド用動作制御具が適用されるブラインドにおけるブレードの昇降機構及び角度調整機構の他の例の概略を示す構成図である。
【図３８】この発明に係るブラインド用動作制御具が適用されるブラインドにおける第１及び第２の角度調整伝動ローラ並びに角度調整制動ローラの取付け状態を示す拡大正面図である。
【図３９】図３８のＸＸＸＩＸ−ＸＸＸＩＸ線断面図である。
【図４０】この発明に係るブラインド用動作制御具を構成している昇降制動体と、第１及び第２の昇降紐との関係、角度調整制動体と角度調整制動紐との関係をそれぞれ示す一部断面正面図である。
【図４１】この発明に係るブラインド用動作制御具を構成している昇降操作体及び角度調整操作体の取り付け状態を示す拡大正面図である。
【図４２】図４１のＸＸＸＸＩＩ−ＸＸＸＸＩＩ線断面図である。
【図４３】図４１のＸＸＸＸＩＩＩ−ＸＸＸＸＩＩＩ線断面図である。
【図４４】この発明に係るブラインド用動作制御具が適用されるブラインドにおける第１及び第２の昇降紐、保持体、止め部材、保持ローラ、引っ張りばねの各関係を示す一部断面拡大正面図である。
【図４５】図４４の側面図であって、第１及び第２の昇降紐、縦枠を省略している図である。
【図４６】この発明に係るブラインド用動作制御具が適用されるブラインドにおける角度調整制動紐、保持体、止め部材、保持ローラ、引っ張りばねの各関係を示す一部断面拡大正面図である。
【図４７】図４６の側面図であって、角度調整制動紐、縦枠を省略している図である。
【図４８】この発明に係るブラインド用動作制御具を構成している昇降操作体の他の例を示す一部切欠拡大背面図である。
【図４９】図４８における昇降操作体を示す分解図である。
【図５０】この発明に係るブラインド用動作制御具を構成している昇降操作体のさらに他の例を示す一部切欠拡大背面図である。
【図５１】図５０のＸＸＸＸＸＩ−ＸＸＸＸＸＩ線断面図である。
【図５２】図５０のＸＸＸＸＸＩＩ−ＸＸＸＸＸＩＩ線断面図である。
【図５３】図５０における昇降操作体を分解して示す一部断面側面図である。
【図５４】この発明に係るブラインド用動作制御具を構成している角度調整操作体の他の例を示す一部切欠拡大背面図である。
【図５５】この発明に係るブラインド用動作制御具を構成している昇降制動体の他の例を示す拡大正面図である。
【図５６】図５５における昇降制動体を示す一部切欠分解図である。
【符号の説明】
【００５５】
１，１Ａ                          ブラインド
２，２Ａ                          支持枠
２ａ，２ｂ                        縦枠
３                                ガラス板（透明板）
４                                弾性封止部材
５                                ブラインド本体
５ａ                              ブレード
６，６Ａ                          昇降機構
７，７Ａ                          角度調整機構
８，８Ａ，８Ｂ                    昇降制動体（ブラインド用動作制御具）
８Ｂ１                            本体ホルダー
８Ｂ１ａ                          収納穴部
８Ｂ２                            昇降制動体の本体
８Ｂ２ａ                          収納穴部
９，９Ａ，９Ｃ，９Ｄ              昇降操作体（ブラインド用動作制御具）
９Ｂ１，９Ｃ１                    本体ホルダー
９Ｂ１ａ，９Ｃ１ａ                収納穴部
９Ｂ２，９Ｃ２                    昇降操作体の本体
９Ｂ２ａ，９Ｃ２ａ                収納穴部
９Ｄｃ                            収納穴部
１３                              第１の昇降紐
１４                              第２の昇降紐
１８，１８Ａ                      角度調整制動体（ブラインド用動作制御具）
１９，１９Ａ，１９Ｂ              角度調整操作体（ブラインド用動作制御具）
１９Ｂ１                          本体ホルダー
１９Ｂ２                          角度調整操作体の本体
２６                              第１の角度調整紐
２７                              第２の角度調整紐
２８，２８Ａ                      角度調整制動紐
３８                              走行ローラ
４０                              補助走行ローラ
４２                              磁性板
４３                              昇降制動体のマグネット（磁気的吸引部材）
４４                              昇降操作体のマグネット（磁気的吸引部材）
４５                              走行ローラ
４６，４６Ａ１，４６Ａ２          ガイドレール
５３，１５３                      磁性板
５４，５５，１５４                位置保持板
１３８                            走行ローラ
１４０                            補助走行ローラ
１４２                            磁性板
１４３                            角度調整制動体のマグネット（磁気的吸引部材）
１４４                            角度調整操作体のマグネット（磁気的吸引部材）
１４５                            走行ローラ
Ｄ                                ドア
Ｕ１，Ｕ１Ａ，Ｕ１１，Ｕ１１Ａ    ブラインド用動作制御装置
【図１】
2009287303.tif 000003
【図２】
2009287303.tif 000004
【図３】
2009287303.tif 000005
【図４】
2009287303.tif 000006
【図５】
2009287303.tif 000007
【図６】
2009287303.tif 000008
【図７】
2009287303.tif 000009
【図８】
2009287303.tif 000010
【図９】
2009287303.tif 000011
【図１０】
2009287303.tif 000012
【図１１】
2009287303.tif 000013
【図１２】
2009287303.tif 000014
【図１３】
2009287303.tif 000015
【図１４】
2009287303.tif 000016
【図１５】
2009287303.tif 000017
【図１６】
2009287303.tif 000018
【図１７】
2009287303.tif 000019
【図１８】
2009287303.tif 000020
【図１９】
2009287303.tif 000021
【図２０】
2009287303.tif 000022
【図２１】
2009287303.tif 000023
【図２２】
2009287303.tif 000024
【図２３】
2009287303.tif 000025
【図２４】
2009287303.tif 000026
【図２５】
2009287303.tif 000027
【図２６】
2009287303.tif 000028
【図２７】
2009287303.tif 000029
【図２８】
2009287303.tif 000030
【図２９】
2009287303.tif 000031
【図３０】
2009287303.tif 000032
【図３１】
2009287303.tif 000033
【図３２】
2009287303.tif 000034
【図３３】
2009287303.tif 000035
【図３４】
2009287303.tif 000036
【図３５】
2009287303.tif 000037
【図３６】
2009287303.tif 000038
【図３７】
2009287303.tif 000039
【図３８】
2009287303.tif 000040
【図３９】
2009287303.tif 000041
【図４０】
2009287303.tif 000042
【図４１】
2009287303.tif 000043
【図４２】
2009287303.tif 000044
【図４３】
2009287303.tif 000045
【図４４】
2009287303.tif 000046
【図４５】
2009287303.tif 000047
【図４６】
2009287303.tif 000048
【図４７】
2009287303.tif 000049
【図４８】
2009287303.tif 000050
【図４９】
2009287303.tif 000051
【図５０】
2009287303.tif 000052
【図５１】
2009287303.tif 000053
【図５２】
2009287303.tif 000054
【図５３】
2009287303.tif 000055
【図５４】
2009287303.tif 000056
【図５５】
2009287303.tif 000057
【図５６】
2009287303.tif 000058